(57)【特許請求の範囲】
【請求項１】
直角凸縁２とレール５を成型した基盤１に、三重線引溝８と同心円描図穴（又は刻み溝）１３を付けた回転分度器４装置の４５度三角定規３をレール受６で分離合体させ多目的使用に供する透明硬質合成樹脂製描図器具。
【発明の詳細な説明】
【０００１】
【発明の属する技術分野】
本発明は、三重線引溝と同心円描図穴（又は刻み溝）を付けた回転分度器装置の４５度三角定規と直角凸縁並びにレールを成型した基盤との合体により、折り線や針穴等で傷付けずに中心点及びそれを通る各角度の線分描図など正方形用紙に対応する基盤上での描図の外、両者の分離によって長方形その他の素材に机上のみならず床面壁面においても描図を可能にした、折り紙の畳紙（たとう）をはじめ花紋折り、畳紙折り箱、多角形用紙制作などの手芸工作から室内外装飾作業、教材、その他様々な分野での使用を可能にした描図器具である。
【０００２】
【従来の技術】
正方形の中心点を定めるには用紙を折るか又は対角に二度定規を当てて線を引き交点を求める。その中心点を通る多様な角度の線を引くためには分度器を使用する。また同心円を描くにはコンパスを使用する。
【０００３】
【発明が解決しようとする課題】
折り線を付けずに中心を決めるには定規を二度当てなくてはならず、必要な角度の線分を引くには分度器を使う。これらの手間を省くにはどうするか。また、円を描くのにコンパスを使えば中心に穴が空く。空かないものもあるが定規との併用は二度手間である。コンパスを使用せず、しかも中心に穴を空けずに円を描くにはどうするか。これらを一つの器具で簡単かつ正確に行うにはどうすればよいか。また、一つの固定した器具を作れば必ず使用範囲が限定される。描図可能範囲を超える用紙や描図場所の問題を解決するにはどうするか。糊やステープラーの類を使わない方式の畳紙折り箱を作るときに用紙を中心点に合わせて折ると、紙の厚みで膨れや隙間ができる。これを解消するにはどうするか等を課題とした。
【０００４】
【解決するための手段】
定規と分度器使用の二度手間を省くためには、直角凸縁を成型した基盤と４５度三角定規の間に用紙を挿入し９０度回して二度中心線分を描いたあと三角定規に装置した回転分度器に移して描図する方式を採った。線分や同心円描図の手間と針穴空きの問題は、分度器に溝、穴（又は刻み溝）を成型して解決した。畳紙折り箱中央合わせ目の膨れや隙間問題は、三重線引溝外側二本の使用で解決した。
【０００５】
器具の使用範囲限定問題は、レールとレール受によって基盤と三角定規双方の分離合体を可能にして解決した。
【０００６】
【発明の実施の形態】
発明の実施の形態について図面を参照して説明する。
図１２  ａ  に示すように、回転分度器４を装置する４５度三角定規３と基盤１の間に正方形用紙１４を挿入し、用紙の角を直角凸縁２の角に当てて三角定規に沿って中心線分１５を引き、用紙を９０度回して二本目の線分を引いてできた×印を図１２  ｂ  に示すように回転分度器４に移動させ、×印つまり中心線分を中心指示線１２に合わせ、分度器を回転用つまみ１８で回転させ希望する角度を白矢印１０に合わせて三重線引溝８の外側二本で折り角線を引く。内側に合わせ目を持つ実用本位の畳紙折り箱は、図１３に示すように、左に１０度の折り角線が適当である。分度器からはずしたこの用紙を、図１４以下の順序で折り進む。
【０００７】
内側に合わせ目を持つ畳紙箱を折るときに中心に辺を合わせて折ると、用紙の厚みによって折り寄せられて膨れができる。これを解消するために図１４に示すように用紙の辺を中心より手前の一本に合わせて折り、箱に折る前の畳紙の段階では合わせ目を卍にするために図内の数字に従って折り、図１５の折り上がり図のようにする。円内卍中央の正方形が、膨らみを解消する隙間である。
【０００８】
図１６に示すように、各辺に箱の深さの谷線を付け、矢印先円内見取図のように各角に折り目を付けて図１７に展開し、図内の数字と折り目に従って折り進む。
【０００９】
図１８▲１▼の見取図のように用紙の角を内側に折り込んで、２、３、４と折り進み最後に角を嵌め込めば▲２▼のように完成する。蓋も同様に折るが、用紙を２ミリほど大きくするか、蓋の深さで大きさを調整する。
【００１０】
図１９以下図２１までは花紋折り文様を上側に出す蓋の折り方を示す参考図で、図１９のように、中心より外の二重線に用紙の辺を合わせて１、２、３と折り、最後の４は重ねたままで図２０のように深さと角の折り線を図１６の内箱のときとは谷線山線を逆に付ける。従って角のつまみ折りは矢印先円内見取図のようになる。これをいったん開き、図２１  イ  のように折り筋と数字に従って折る。
【００１１】
中心より外の二重線を使ったため重なっていた畳紙の合わせ目は、箱に折ると、図２１  ロ  の出来上がり図のように文様の中心に引張りによる隙間のない合わせ目の蓋ができる。
【００１２】
二重線の間隔は平均値を取ってあるから用紙の厚み差により多少の誤差が出る。従って用紙選定時に試し折りし、誤差分を辺と線の合わせ目の微調整で補正する。
【００１３】
花紋折りは微妙な角度の変化で様々な文様を出す伝統折り紙の一手法である。図２２はその一部とそれを蓋にしたところを示す参考図で、（ａ）は分度器の見掛け角度２０度（折り角３５度）の文様とその変化、（ｂ）は夫々の文様の蓋完成図、（ｃ）は９０度（折り角０度）の文様と変化の一部、（ｄ）は夫々の文様の蓋完成図である。
【００１４】
多角形用紙の制作は図２３（Ａ）に示すように、中心線分１５を描図した用紙１４を回転分度器４に移動して中心線分を中心指示線１２に合わせ、回転分度器を要求する角度（５角形なら７２度）まで回して黒矢印１１に合わせ、三重線引溝８の中央の一本で線を引き、これをくり返した後同心円描図穴（又は刻み溝）１３の適当な穴（又は刻み溝）で図２３（Ｂ）に示すように同心円１６を描き、円と線の交点を結んで求める多角形を描図する。要求する多角形が分度器サイズの範囲を越えるときは要求する大きさまで延長線１７を引き夫々の頂点を結ぶ。ここには５角形の描図を示した。
【００１５】
図２３（Ｃ）は５角形用紙で畳紙折り箱を作るときに三重線引溝の外側二本で隙間及び重なり解消のための二重線を引いたところを示す拡大図で、これらの線の交わり点に各角を合わせ、図２４の参考図  い  以下に示すように折っていく。
【００１６】
図２４  い  〜  り  は多角形畳紙折り箱の折り方を５角形で示した参考図で、折り方は各角の折り線を９０度に直すことだけに注意すれば他は四角形の場合と同じである。
【００１７】
【発明の効果】
本発明は、上述のように構成されているので、次に記載する効果を奏する。
請求項１の、三重線引溝と同心円描図穴（又は刻み溝）を付けた回転分度器装置４５度三角定規は、まず図１の合体時において三角定規の約倍近くの大きさの正方形用紙にまで中心線分が描ける効果を奏し、次いで三角定規を分離させて基盤外で描図すれば、用紙の中心点が回転分度器の中心より高い位置になる大きな用紙にも、また長方形その他の形の素材にも描図が可能となり、さらに独立器具として用いれば、机上に限らず床面壁面にも対応ができて用途が多様化した。
【００１６】
透明な素材であるため直角凸縁２に用紙が完全に収まっているかどうかが確認できる効果を得た。
【図面の簡単な説明】
【図１】基盤と４５度三角定規を合体させた状態の平面図である。
【図２】基盤と４５度三角定規の分離合体途中を示す平面図である。
【図３】基盤から分離した回転分度器付４５度三角定規の平面図である。
【図４】図３のＡＡ’部分の断面図である。
【図５】回転分度器受入窓とレール受溝を成型した４５度三角定規の台板の部分図で、大円内の図は小円内部分の拡大断面図である。
【図６】図５のＢＢ’部分の断面図である。
【図７】回転分度器の拡大図である。
【図８】図７の部分拡大断面図で三重線引溝の一本に描図器具を入れて線引している状態を示す。
【図９】４５度三角定規上蓋の部分図である。
【図１０】図９のＣＣ’部分の断面図である。
【図１１】基盤の部分図で、各部分の小円→大円は夫々の部分の見取図及び断面図である。
【図１２】本発明の実施方法の一部を示した参考図で、ａは中心線分を描くところ、ｂは用紙を分度器に移動して中心線分を中心指示線に合わせたところを示す。
【図１３】実用の箱に適当な角度、左へ１０度の折り角線を描図した用紙を示す図。
【図１４】用紙の一辺を二重線の中心より手前の一本に合わせて折り、図内の数字に従って畳紙に折り進むことを示した図である。
【図１５】中心が卍印になって折り上がった畳紙と、その中心部を示す拡大図である。
【図１６】箱の深さを決めて谷線の折り筋を付け、各角に山線の折り筋を付けたところを示す図で、矢印先の円内は角をつまんで折り筋を付けたところを示す見取図。
【図１７】図１６の展開図である。
【図１８】▲１▼は折り筋に従って折り始めたところを示し、図内の数字に従って折り進むと▲２▼の完成図のように中心合わせ目の卍印が×印になることを示す。
【図１９】蓋の上面に花紋折り文様を出すときの畳紙の折りはじめと折り順序の数字を示す図である。
【図２０】折り上がった畳紙に蓋の深さの折り線を付けた図。矢印先円内は角の見取図。
【図２１】図２０の畳紙を一度展開して折り上げる順序を示す図で、イ  は折りはじめ、ロ  は文様付き蓋の折り上がり図である。
【図２２】畳紙の花紋文様の一部とそれを蓋にしたところを示す参考図で、（ａ）は見掛け角度２０度（折り角３５度）の畳紙とそのバリエーション。（ｂ）は（ａ）を箱にしたもの。（ｃ）は９０度（折り角０度）の畳紙とそのバリエーションの一部。（ｄ）は箱の完成図。
【図２３】（Ａ）は多角形用紙の制作を示す図で、（Ｂ）は描図した用紙、（Ｃ）は隙間及び膨れを解消するための二重線を引いたところを示す中心部の拡大図である。
【図２４】い  は二重線の交点に角を合わせて折りはじめたところを示し、ろ  は折り上がった畳紙に深さの折り線を付けたところ、は  は中心の隙間の拡大図、に  は深さの折り線のままの角の拡大図で、そのまま折ると  ほ  のようになることを示し、へ  の太線のように直角に折れば  と  ち  り  のように内箱や蓋ができることを示した。
【符号の説明】
ＡＡ’ＢＢ’ＣＣ’  断面位置
１    基盤
２    直角凸縁
３    ４５度三角定規
３’  ４５度三角定規台板
３”  ４５度三角定規上蓋
４    回転分度器
５    レール
６    レール受
７    回転分度器受入窓
８    三重線引溝
９    描図用具
１０  白矢印
１１  黒矢印
１２  中心指示線
１３  同心円描図穴（又は刻み溝）
１４  用紙
１５  中心線分
１６  同心円
１７  延長線
１８  回転用つまみ
ａ  用紙に４５度三角定規で中心線分を描図するところを示す図
ｂ  用紙を回転分度器に移動して中心線分を中心指示線に合わせ、分度器を１０度左に回したところを示す図
（１）  畳紙折り箱の折り順を示す図
（２）  内箱の出来上がり図
イ  花紋折り文様蓋の折り順序を示す図
ロ  花紋折り文様蓋の出来上がり図
（ａ）  見掛け角度２０度折り角３５度の花紋折り文様とそのバリエーション
（ｂ）  折り角３５度の花紋折り文様とそのバリエーションの箱出来上がり図
（ｃ）  見掛け角度９０度折り角０度の花紋折り文様とそのバリエーション
（ｄ）  折り角０度の花紋折り文様とそのバリエーションの箱出来上がり図
（Ａ）  多角形用紙を描図するために分度器に移動したところを示す図
（Ｂ）  用紙に５角形の描図を完了したところを示す図
（Ｃ）  ５角形の中心に隙間及び膨れ解消の二重線を付けた拡大図
い  ５角形畳紙の折りはじめ図
ろ  ５角形畳紙に深さの折り線を付けた図
は  ５角形畳紙中心部の拡大図
に  ５角形畳紙角の鈍角折り線部拡大図
ほ  ５角形畳紙鈍角折り線をそのまま折った箱の出来上がり図
へ  鈍角折り線を直角に直したところを示す拡大図
と  鈍角を直角に直して折った５角形畳紙折り内箱の出来上がり図
ち  鈍角を直角に直して折った５角形畳紙折り蓋の出来上がり図
り  鈍角を直角に直して折った５角形畳紙折り文様蓋の出来上がり図
【図１】
0003643339.tif 000002
【図２】
0003643339.tif 000003
【図３】
0003643339.tif 000004
【図４】
0003643339.tif 000005
【図５】
0003643339.tif 000006
【図６】
0003643339.tif 000007
【図７】
0003643339.tif 000008
【図８】
0003643339.tif 000009
【図９】
0003643339.tif 000010
【図１０】
0003643339.tif 000011
【図１１】
0003643339.tif 000012
【図１２】
0003643339.tif 000013
【図１３】
0003643339.tif 000014
【図１４】
0003643339.tif 000015
【図１５】
0003643339.tif 000016
【図１６】
0003643339.tif 000017
【図１７】
0003643339.tif 000018
【図１８】
0003643339.tif 000019
【図１９】
0003643339.tif 000020
【図２０】
0003643339.tif 000021
【図２１】
0003643339.tif 000022
【図２２】
0003643339.tif 000023
【図２３】
0003643339.tif 000024
【図２４】
0003643339.tif 000025